【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
コンテンツを提供するコンテンツ提供装置とコンテンツを利用する１以上のコンテンツ利用装置でコンテンツ伝送のための通信を行なう通信システムであって、
コマンドの往復遅延時間に関する制限を課した登録用の相互認証手続きを経てコンテンツ利用装置を事前に登録する登録手段と、
前記登録手段により事前に登録されているコンテンツ利用装置を、コマンドの往復遅延時間に関する制限を課さないリモート・アクセス用の相互認証手続きに従って認証する認証手段と、
前記認証手段による認証結果に応じて、前記コンテンツ提供装置から認証された前記コンテンツ利用装置へ、前記要求されたコンテンツを伝送する伝送手段と、
を具備する通信システム。
【請求項２】
コマンドの往復遅延時間に関する制限を課した登録用の相互認証手続きを経てコンテンツ利用装置を事前に登録する登録手段と、
前記登録手段により事前に登録されているコンテンツ利用装置を、コマンドの往復遅延時間に関する制限を課さないリモート・アクセス用の相互認証手続きに従って認証する認証手段と、
コンテンツ利用装置へ要求されたコンテンツを提供する提供手段と、
を具備し、
前記提供手段は、リモート・アクセスによりコンテンツを要求するコンテンツ利用装置に対し、前記認証手段による認証結果に応じて、コンテンツを提供する、
ことを特徴とする通信装置。
【請求項３】
前記認証手段は、前記リモート・アクセス用の相互認証手続きに際し、ＩＰ（Ｉｎｔｅｒｎｅｔ  Ｐｒｏｔｏｃｏｌ）ルーターのホップ回数に関する制限をも課さない、
ことを特徴とする請求項２に記載の通信装置。
【請求項４】
コンテンツ利用装置からリモート・アクセスにより要求されたコンテンツがリモート・アクセスを許容されているか否かを識別する識別手段をさらに具備し、
前記提供手段は、前記認証手段による認証結果とともに前記識別手段による識別結果に応じて、リモート・アクセスによりコンテンツを要求するコンテンツ利用装置にコンテンツを提供する、
請求項２に記載の通信装置。
【請求項５】
前記識別手段は、前記要求されたコンテンツの所定の制御記述子に重畳されている、リモート・アクセスの可否を示す情報に基づいて、リモート・アクセスを許容されているか否かを識別する、
ことを特徴とする請求項４に記載の通信装置。
【請求項６】
前記識別手段は、前記要求されたコンテンツの所定の制御記述子の記載内容に基づいて、リモート・アクセスを許容されているか否かを識別する、
ことを特徴とする請求項４に記載の通信装置。
【請求項７】
前記識別手段は、前記要求されたコンテンツの所定の制御記述子に含まれるコピー制御情報の記載内容に基づいて、リモート・アクセスを許容されているか否かを識別する、
ことを特徴とする請求項４に記載の通信装置。
【請求項８】
コンテンツを蓄積することができる記憶部をさらに備え、
前記識別手段は、前記記憶部にコピーされているコンテンツはリモート・アクセスを許可されていると識別する、
ことを特徴とする請求項２に記載の通信装置。
【請求項９】
放送コンテンツを受信する受信部をさらに備え、
前記識別手段は、放送中のリアルタイム・コンテンツについては、放送終了後からの経過時間に基づいてリモート・アクセスを許容されているか否かを識別する、
ことを特徴とする請求項２に記載の通信装置。
【請求項１０】
放送コンテンツを受信する受信部と、コンテンツを蓄積することができる記憶部をさらに備え、
前記識別手段は、受信した放送コンテンツを、前記記憶部に一旦蓄積した後にリモート・アクセスを許可されていると識別する、
ことを特徴とする請求項２に記載の通信装置。
【請求項１１】
リモート・アクセス可能コンテンツを記憶する第１の領域とリモート・アクセス不可コンテンツを記憶する第２の領域を有する記憶部をさらに備え、
各コンテンツを前記識別手段による識別結果に基づいて前記第１又は第２の領域に仕分けして前記記憶部に蓄積する、
ことを特徴とする請求項２に記載の通信装置。
【請求項１２】
前記登録手段は、前記コンテンツ利用装置の機器固有の識別情報を登録する、
ことを特徴とする請求項２に記載の通信装置。
【請求項１３】
前記登録手段は、前記登録用の相互認証手続きに際し、ＩＰルーターのホップ回数に関する制限をさらに課す、
ことを特徴とする請求項２に記載の通信装置。
【請求項１４】
前記登録手段は、コンテンツ利用装置の事前登録時に、ユーザーＩＤ、パスフレーズ若しくはキー、ユーザーの生体情報、又はその他のリモート・アクセス用の認証情報を併せて登録し、
前記認証手段は、リモート・アクセスするコンテンツ利用装置を認証する際に、前記の事前登録した認証情報を用いた認証処理を併せて行なう、
ことを特徴とする請求項２に記載の通信装置。
【請求項１５】
前記認証手段は、前記リモート・アクセス用の認証情報を書き込んだポータブル・メディアを通じて前記の事前登録した認証情報を用いた認証処理を行なう、
ことを特徴とする請求項１４に記載の通信装置。
【請求項１６】
前記認証手段は、当該装置に紐付けされたドングルを通じてリモート・アクセスするコンテンツ利用装置を認証する、
ことを特徴とする請求項２に記載の通信装置。
【請求項１７】
前記登録手段はコンテンツ利用装置を事前登録する際に、当該コンテンツ利用装置がリモート・アクセス時に利用する１以上のコンテンツを併せて登録し、
前記提供手段は、リモート・アクセスするコンテンツ利用装置に対し、前記のリモート・アクセス時に利用するとして事前登録されたコンテンツのみを提供する、
ことを特徴とする請求項２に記載の通信装置。
【請求項１８】
前記認証手段は、前記リモート・アクセス用の相互認証手続きに代えて、所定の認証サーバーに対するログイン処理を通じて前記リモート・アクセスするコンテンツ利用装置の認証手続きを行なう、
ことを特徴とする請求項２に記載の通信装置。
【請求項１９】
前記認証手段は、コンテンツ利用装置からの相互認証制御コマンドに設けられている、リモート・アクセスの可否を示す情報ビットに基づいて、リモート・アクセスするコンテンツ利用装置を認証する、
ことを特徴とする請求項２に記載の通信装置。
【請求項２０】
前記認証手段は、リモート・アクセス専用の相互認証手続きに従って、リモート・アクセスするコンテンツ利用装置を認証する、
ことを特徴とする請求項２に記載の通信装置。
【請求項２１】
前記提供手段は、リモート・アクセス専用の暗号化モードを用いて、コンテンツ利用装置からリモート・アクセスにより要求されたコンテンツを暗号化伝送する、
ことを特徴とする請求項１９又は２０のいずれかに記載の通信装置。
【請求項２２】
前記提供手段は、コンテンツのリモート・アクセスによる再出力を禁止する、
ことを特徴とする請求項１９又は２０のいずれかに記載の通信装置。
【請求項２３】
コンテンツを蓄積することができる記憶部をさらに備え、
前記提供手段は、前記記憶部に蓄積されているコンテンツにリモート・アクセスが可能であることを示す情報が付加されているときには、リモート・アクセスによる再出力を禁止する、
ことを特徴とする請求項１９又は２０のいずれかに記載の通信装置。
【請求項２４】
コンテンツを蓄積することができる記憶部をさらに備え、
前記識別手段は、リモート・アクセスが可能であることを示す情報が付加されたコンテンツを前記記憶部に蓄積する際に、当該情報をリモート・アクセス不可に書き換える、
ことを特徴とする請求項１９又は２０のいずれかに記載の通信装置。
【請求項２５】
前記識別手段は、著作権保護が施された所定のプロトコルに従って受け取ったコンテンツにリモート・アクセスの可否を示す情報が付加されていないときには、当該コンテンツをリモート・アクセス不可として扱う、
ことを特徴とする請求項１９又は２０のいずれかに記載の通信装置。
【請求項２６】
前記識別手段は、著作権保護が施された所定のプロトコルに従って受け取ったコンテンツにリモート・アクセスの可否を示す情報が付加されていないときには、当該コンテンツに設定されているコピー制御情報に基づいて、当該コンテンツがリモート・アクセスを許容されているか否かを識別する、
ことを特徴とする請求項１９又は２０のいずれかに記載の通信装置。
【請求項２７】
コンテンツを蓄積することができる記憶部をさらに備え、
前記識別手段は、リモート・アクセスを不可としないコンテンツについては、前記記憶部に一旦蓄積した後にリモート・アクセス可として扱い、前記記憶部に蓄積する前の状態ではリモート・アクセス不可として扱う、
ことを特徴とする請求項２６に記載の通信装置。
【請求項２８】
コマンドの往復遅延時間に関する制限を課した登録用の相互認証手続きを経てコンテンツ利用装置を事前に登録する登録ステップと、
前記登録手段により事前に登録されているコンテンツ利用装置を、コマンドの往復遅延時間に関する制限を課さないリモート・アクセス用の相互認証手続きに従って認証する認証ステップと、
コンテンツ利用装置へ要求されたコンテンツを提供する提供ステップと、
を有し、
前記提供ステップでは、リモート・アクセスによりコンテンツを要求するコンテンツ利用装置に対し、前記認証ステップにおける認証結果に応じて、コンテンツを提供する、
ことを特徴とする通信方法。
【請求項２９】
ネットワーク経由でコンテンツを提供するための処理をコンピューター上で実行するようにコンピューター可読形式で記述されたコンピューター・プログラムであって、前記コンピューターを、
コマンドの往復遅延時間に関する制限を課した登録用の相互認証手続きを経てコンテンツ利用装置を事前に登録する登録手段、
前記登録手段により事前に登録されているコンテンツ利用装置を、コマンドの往復遅延時間に関する制限を課さないリモート・アクセス用の相互認証手続きに従って認証する認証手段、
コンテンツ利用装置からリモート・アクセスにより要求されたコンテンツがリモート・アクセスを許容されているか否かを識別する識別手段、
コンテンツ利用装置へ要求されたコンテンツを提供する提供手段、
として機能させ、
前記提供手段は、リモート・アクセスによりコンテンツを要求するコンテンツ利用装置に対し、前記識別手段による識別結果及び前記認証手段による認証結果に応じて、コンテンツを提供する、
ことを特徴とするコンピューター・プログラム。
【請求項３０】
放送コンテンツを記憶する記憶手段と、
コマンドの往復遅延時間に関する制限を課した登録用の相互認証手続きを経てコンテンツ利用装置を事前に登録する登録手段と、
前記登録手段により事前に登録されているコンテンツ利用装置を、コマンドの往復遅延時間に関する制限を課さないリモート・アクセス用の相互認証手続きに従って認証する認証手段と、
コンテンツ利用装置へ要求されたコンテンツを提供する提供手段と、
を具備し、
前記提供手段は、リモート・アクセスによりコンテンツを要求するコンテンツ利用装置に対し、前記認証手段による認証結果に応じて、コンテンツを提供する、
コンテンツ提供装置。
【請求項３１】
放送コンテンツを記憶する記憶ステップと、
コマンドの往復遅延時間に関する制限を課した登録用の相互認証手続きを経てコンテンツ利用装置を事前に登録する登録ステップと、
前記登録ステップにより事前に登録されているコンテンツ利用装置を、コマンドの往復遅延時間に関する制限を課さないリモート・アクセス用の相互認証手続きに従って認証する認証ステップと、
コンテンツ利用装置へ要求されたコンテンツを提供する提供ステップと、
を有し、
前記提供ステップでは、リモート・アクセスによりコンテンツを要求するコンテンツ利用装置に対し、前記認証ステップによる認証結果に応じて、コンテンツを提供する、
コンテンツ提供方法。